(57)【要約】【課題】Ｘ線ＣＴ装置において、不必要な電力の消費をなくすこと。【解決手段】Ｘ線管２１及びＸ線検出器２３を備える回転部２５と、第１の電源によって通電され回転部２５の動作を制御してスキャンを実行するコントローラ５０と、を備えたＸ線ＣＴ装置１は、第１の電源とは異なる第２の電源と電気的に接続される送電部３５と、固定部２５に取り付けられ、送電部３５との電気的な接続が自在の受電部３６と、Ｘ線検出器２３に備えられ、受電部３６と電気的に接続されるヒータと、を備える。【選択図】  図１
2012081135.tif 000002
【特許請求の範囲】
【請求項１】
Ｘ線源及びＸ線検出器を備える回転部と、第１の電源によって通電され前記回転部の動作を制御してスキャンを実行する制御部と、を備えたＸ線ＣＴ装置において、
前記第１の電源とは異なる第２の電源と電気的に接続される出力部と、
前記回転部に備えられ、前記出力部との電気的な接続が自在の入力部と、
前記Ｘ線検出器に備えられ、前記入力部と電気的に接続されるヒータと、
を備えることを特徴とするＸ線ＣＴ装置。
【請求項２】
前記制御部に電気的に接続され、前記出力部としての出力端子と前記入力部としての入力端子との機械的な接触／非接触が可能となるように、前記出力端子を駆動させる駆動部をさらに備え、
前記出力端子と前記入力端子とが機械的に接触する場合にのみ前記出力端子と前記入力端子とが電気的に接続される構成を有することを特徴とする請求項１に記載のＸ線ＣＴ装置。
【請求項３】
前記駆動部としての電磁石は、前記制御部を介して通電されている場合、前記出力端子を引き寄せて前記出力端子を前記入力端子から離脱させて非接触とする一方、前記制御部を介して通電されていない場合、前記出力端子を引き離して前記出力端子を前記入力端子に接触させる構成とすることを特徴とする請求項２に記載のＸ線ＣＴ装置。
【請求項４】
前記駆動部としてのモータ／ギアは、前記制御部を介した通電が開始される場合、前記出力端子を引き寄せて前記出力端子を前記入力端子から離脱させて非接触とする一方、前記第１の電源の切断が指示される場合、前記制御部を介した通電が終了される前に、前記出力端子を引き離して前記出力端子を前記入力端子に接触させる構成とすることを特徴とする請求項２に記載のＸ線ＣＴ装置。
【請求項５】
前記駆動部としてのモータは、前記制御部を介した通電が開始される場合、前記出力端子を前記モータを軸として第１の向きに回転させて前記出力端子を前記入力端子から離脱させて非接触とする一方、前記第１の電源の切断が指示される場合、前記制御部を介した通電が終了される前に、前記出力端子を前記モータを軸として前記第１の向きとは逆向きに回転させて前記出力端子を前記入力端子に接触させる構成とすることを特徴とする請求項２に記載のＸ線ＣＴ装置。
【請求項６】
前記出力部は、前記出力部から所定範囲内に存在する前記入力部と機械的に非接触で電気的に接続され、前記Ｘ線検出器の停止位置で前記入力部から前記所定範囲内の位置に配置されることを特徴とする請求項１に記載のＸ線ＣＴ装置。
【発明の詳細な説明】
【技術分野】
【０００１】
本発明の一態様としての本実施形態は、被検体の画像を生成するＸ線ＣＴ（ｃｏｍｐｕｔｅｄ  ｔｏｍｏｇｒａｐｈｙ）装置に関するものである。
【背景技術】
【０００２】
Ｘ線ＣＴ装置は、被検体を透過したＸ線の強度に基づいて、被検体についての情報を画像により提供するものであり、疾病の診断・治療や手術計画等を初めとする多くの医療行為において重要な役割を果たしている。
【０００３】
Ｘ線ＣＴ装置では、回転部に備えるＸ線検出器に温度特性がある。Ｘ線検出器が十分に温まっていない状態でスキャンを行なうと画質が劣化した異常画像が生成されることになる。そこで、スキャン前にＸ線検出器の予熱を行ない、Ｘ線検出器が十分に温まり、Ｘ線検出器の温度が一定になってから撮影を行なう必要がある。
【０００４】
従来のＸ線ＣＴ装置では、Ｘ線検出器の予熱を行なう方法として、次の２つの方法がある。第１の方法は、Ｘ線検出器の予熱に費やされる時間分だけ早くＸ線ＣＴ装置全体の電源を投入しておき、Ｘ線ＣＴ装置全体の電源の投入からＸ線検出器の予熱を行なう方法である。第２の方法は、Ｘ線検出器にヒータを配置し、そのヒータ自体に電源ケーブルを接続し、その電源ケーブルを、Ｘ線ＣＴ装置の外部に設置された独立した電源に接続することで、電源ケーブルを介してヒータに通電してＸ線検出器を予熱した後、スキャン直前にＸ線ＣＴ装置全体の電源を投入する方法である。
【先行技術文献】
【特許文献】
【０００５】
【特許文献１】特開平１０−７３６６８号公報
【発明の概要】
【発明が解決しようとする課題】
【０００６】
しかしながら、従来技術の第１の方法によると、ヒータに通電する目的のために、ヒータ以外の、本来電源を入れる必要がない部材にも電力が供給されることになり、不必要な電力を消費してしまうという問題がある。
【０００７】
また、従来技術の第２の方法を用いると、術者等の操作者が、ヒータに接続された電源ケーブルを切断する必要がある。また、電源ケーブルのヒータからの切断を忘れたままスキャンが開始されて回転部の回転に従ってＸ線検出器が回転してしまうと、電源ケーブルが回転部に巻き込まれ、Ｘ線ＣＴ装置に危害を与えてしまうという問題がある。
【課題を解決するための手段】
【０００８】
本実施形態のＸ線ＣＴ装置は、上述した課題を解決するために、Ｘ線源及びＸ線検出器を備える回転部と、第１の電源によって通電され前記回転部の動作を制御してスキャンを実行する制御部と、を備えたＸ線ＣＴ装置において、前記第１の電源とは異なる第２の電源と電気的に接続される出力部と、前記回転部に備えられ、前記出力部との電気的な接続が自在の入力部と、前記Ｘ線検出器に備えられ、前記入力部と電気的に接続されるヒータと、を備える。
【図面の簡単な説明】
【０００９】
【図１】第１実施形態のＸ線ＣＴ装置を示すハードウェア構成図。
【図２】第１実施形態のＸ線ＣＴ装置におけるＸ線検出器の構成の概略を示す側面図。
【図３】第１実施形態のＸ線ＣＴ装置における入出力部の構成例を示す図。
【図４】第２実施形態のＸ線ＣＴ装置を示すハードウェア構成図。
【図５】（ａ）（ｂ）は、第２実施形態のＸ線ＣＴ装置における出力端子駆動部の第１の構成例を示す図。
【図６】図５に示す出力端子駆動部の第１の構成例における動作を示すタイムチャート。
【図７】（ａ）（ｂ）は、第２実施形態のＸ線ＣＴ装置における出力端子駆動部の第２の構成例を示す図。
【図８】図７に示す出力端子駆動部の第２の構成例における動作を示すタイムチャート。
【図９】（ａ）（ｂ）は、第２実施形態のＸ線ＣＴ装置における出力端子駆動部の第３の構成例を示す図。
【発明を実施するための形態】
【００１０】
本実施形態のＸ線ＣＴ装置について、添付図面を参照して説明する。
【００１１】
本実施形態のＸ線ＣＴ装置には、Ｘ線源とＸ線検出器とが１体として被検体の周囲を回転する回転／回転（ＲＯＴＡＴＥ／ＲＯＴＡＴＥ）タイプと、リング状に多数の検出素子がアレイされ、Ｘ線源のみが被検体の周囲を回転する固定／回転（ＳＴＡＴＩＯＮＡＲＹ／ＲＯＴＡＴＥ）タイプ等様々なタイプがあり、いずれのタイプでも本発明を適用可能である。ここでは、現在、主流を占めている回転／回転タイプとして説明する。
【００１２】
また、入射Ｘ線を電荷に変換するメカニズムは、シンチレータ等の蛍光体でＸ線を光に変換し更にその光をフォトダイオード等の光電変換素子で電荷に変換する間接変換形と、Ｘ線による半導体内の電子正孔対の生成及びその電極への移動すなわち光導電現象を利用した直接変換形とが主流である。
【００１３】
加えて、近年では、Ｘ線源とＸ線検出器との複数のペアを回転リングに搭載したいわゆる多管球型のＸ線ＣＴ装置の製品化が進み、その周辺技術の開発が進んでいる。本実施形態のＸ線ＣＴ装置では、従来からの一管球型のＸ線ＣＴ装置であっても、多管球型のＸ線ＣＴ装置であってもいずれにも適用可能である。ここでは、一管球型のＸ線ＣＴ装置として説明する。
【００１４】
（第１実施形態）
図１は、第１実施形態のＸ線ＣＴ装置を示すハードウェア構成図である。
【００１５】
図１は、第１実施形態のＸ線ＣＴ装置１を示す。Ｘ線ＣＴ装置１は、大きくは、スキャナ装置１１及び画像処理装置１２によって構成される。Ｘ線ＣＴ装置１のスキャナ装置１１は、通常は検査室に設置され、患者Ｏの部位（被検体）に関するＸ線の透過データを生成するために構成される。一方、画像処理装置１２は、通常は検査室に隣接する制御室に設置され、透過データを基に投影データを生成して再構成画像の生成・表示を行なうために構成される。
【００１６】
Ｘ線ＣＴ装置１のスキャナ装置１１は、架台装置２０、及び寝台装置４０、及びコントローラ５０を備える。
【００１７】
スキャナ装置１１の架台装置２０は、Ｘ線源としてのＸ線管２１、絞り２２、Ｘ線検出器２３、ＤＡＳ（ｄａｔａ  ａｃｑｕｉｓｉｔｉｏｎ  ｓｙｓｔｅｍ）２４、回転部２５、高電圧電源２６、絞り駆動装置２７、回転駆動装置２８、架台カバー（固定部）３１、差込プラグ３２、コネクタ対３３、及び入出力部３４を設ける。
【００１８】
Ｘ線管２１は、高電圧電源２６から供給された管電圧に応じて金属製のターゲットに電子線を衝突させることでＸ線を発生させ、Ｘ線検出器２３に向かって照射する。Ｘ線管２１から照射されるＸ線によって、ファンビームＸ線やコーンビームＸ線が形成される。Ｘ線管２１は、高電圧電源２６を介したコントローラ５０による制御によって、Ｘ線の照射に必要な電力が供給される。
【００１９】
絞り２２は、絞り駆動装置２７によって、Ｘ線管２１から照射されるＸ線のスライス方向の照射範囲を調整する。すなわち、絞り駆動装置２７によって絞り２２の開口を調整することによって、スライス方向のＸ線照射範囲を変更できる。
【００２０】
Ｘ線検出器２３は、マトリクス状、すなわち、チャンネル方向に複数チャンネル、スライス方向に複数列のＸ線検出素子を有する２次元アレイ型の検出器（マルチスライス型検出器ともいう。）である。Ｘ線検出器２３のＸ線検出素子は、Ｘ線管２１から照射されたＸ線を検出する。
【００２１】
図２は、第１実施形態のＸ線ＣＴ装置１におけるＸ線検出器２３の構成の概略を示す側面図である。
【００２２】
図２に示すように、Ｘ線検出器２３は、患者Ｏの部位を透過したＸ線をコリメートする、Ｎ列に対応するＮ個のコリメータ５１と、コリメータ５１の後段でＸ線を基に電気信号を発生する、Ｎ列に対応するＮ個の検出素子５２と、Ｘ線検出器２３の温度を安定化させるためのヒータ５３とを備える。検出素子５２は、Ｘ線を基に蛍光を発するＮ個のシンチレータ６１と、蛍光を電気信号に変換するＮ個のＰＤ（ｐｈｏｔｏｄｉｏｄｅ）６２とによって構成される。なお、図２は、例えば、８（Ｎ＝８）列に対応する８個のコリメータ５１と、８列に対応する８個のシンチレータ６１と、８列に対応する８個のＰＤ６２とを示す。
【００２３】
図１に示すＤＡＳ２４は、Ｘ線検出器２３のＰＤ６２の後段に配置されるものである。ＤＡＳ２４は、Ｘ線検出器２３の各検出素子５２が検出する透過データの信号を増幅してデジタル信号に変換する。ＤＡＳ２４の出力データは、スキャナ装置１１のコントローラ５０を介して画像処理装置１２に供給される。
【００２４】
図１に示す回転部２５は、Ｘ線管２１、絞り２２、Ｘ線検出器２３、及びＤＡＳ２４を一体として保持する。回転部２５は、Ｘ線管２１とＸ線検出器２３とを対向させた状態で、Ｘ線管２１、絞り２２、Ｘ線検出器２３、及びＤＡＳ２４を一体として被検体Ｏの周りに回転できるように構成されている。なお、回転部２５の回転中心軸と平行な方向をｚ軸方向、そのｚ軸方向に直交する平面をｘ軸方向、ｙ軸方向で定義する。
【００２５】
高電圧電源２６は、コントローラ５０による制御によって、Ｘ線の照射に必要な電力をＸ線管２１に供給する。
【００２６】
絞り駆動装置２７は、コントローラ５０による制御によって、絞り２２におけるＸ線のスライス方向の照射範囲を調整する機構を有する。
【００２７】
回転駆動装置２８は、コントローラ５０による制御によって、回転部２５がその位置関係を維持した状態で空洞部の周りを回転するように回転部２５を回転させる機構を有する。
【００２８】
架台カバー３１は、回転部２５を覆うように形成され、大きくは、フロントカバー及びサイドカバーによって構成される。
【００２９】
差込プラグ３２は、電源ケーブル及びコネクタ対３３を介して送電部３５と電気的に接続される。
【００３０】
コネクタ対３３は、架台カバー３１表面に支持される。
【００３１】
入出力部３４は、送電部（出力部）３５及び受電部（入力部）３６を備える。送電部３５は、架台カバー３１の内側で架台カバー３１に支持される。送電部３５は、Ｘ線検出器２３の停止位置で受電部３６に機械的に非接触で送受電可能となる位置に配置される。受電部３６は、Ｘ線検出器２３に取り付けられ、回転部２５の回転に従ってＸ線検出器２３と一体となって回転する。
【００３２】
スキャナ装置１１の寝台装置４０は、天板４１及び天板駆動装置４２を備える。天板４１は、被検体Ｏを載置可能である。天板駆動装置４２は、コントローラ５０による制御によって、天板４１をｙ軸方向に沿って昇降動させると共に、ｚ軸方向に沿って進入／退避動させる機構を有する。回転部２５の中央部分は開口を有し、その開口部の天板４１に載置された被検体Ｏが挿入される。
【００３３】
スキャナ装置１１のコントローラ５０は、ＣＰＵ（ｃｅｎｔｒａｌ  ｐｒｏｃｅｓｓｉｎｇ  ｕｎｉｔ）、及びメモリによって構成される。コントローラ５０は、差込プラグ５１に接続され、架台装置２０及び寝台装置４０に通電する。また、コントローラ５０は、架台装置２０のＸ線管２１、Ｘ線検出器２３、ＤＡＳ２４、高電圧電源２６、絞り駆動装置２７、及び回転駆動装置２８と、寝台装置４０の天板駆動装置４２等の制御を行なってスキャンを実行させる。
【００３４】
Ｘ線ＣＴ装置１の画像処理装置１２は、コンピュータをベースとして構成されており、病院基幹のＬＡＮ（ｌｏｃａｌ  ａｒｅａ  ｎｅｔｗｏｒｋ）等のネットワークＮと相互通信可能である。画像処理装置１２は、図示しないが、ＣＰＵ、メモリ、ＨＤＤ（ｈａｒｄ  ｄｉｓｃ  ｄｒｉｖｅ）、入力装置、及び表示装置等の基本的なハードウェアから構成される。入力装置は、操作者によって操作が可能なポインティングデバイスやフットスイッチである。
【００３５】
画像処理装置１２は、スキャナ装置１１のＤＡＳ２４から入力された生データに対して対数変換処理や、感度補正等の補正処理（前処理）を行なって投影データを生成する。また、画像処理装置１２は、前処理された投影データに対して散乱線の除去処理を行なう。画像処理装置１２は、Ｘ線照射範囲内の投影データの値に基づいて散乱線の除去を行なうものであり、散乱線補正を行なう対象の投影データ又はその隣接投影データの値の大きさから推定された散乱線を、対象となる投影データから減じて散乱線補正を行なう。画像処理装置１２は、補正された投影データを基に再構成画像を生成する。
【００３６】
図３は、第１実施形態のＸ線ＣＴ装置における入出力部３４の構成例を示す図である。
【００３７】
図３は、Ｘ線検出器２３、回転部２５、架台カバー３１、差込プラグ３２、コネクタ対３３、入出力部３４（送電部３５及び受電部３６）、及びヒータ５３を示す。入出力部３４の構成は、例えば、特開２００９−２８４６５７号公報で開示されている電子機器と同様の構成である。
【００３８】
コネクタ対３３は、送電部３５の近くの架台カバー３１に配置される。
【００３９】
入出力部３４の送電部３５は、差込プラグ３２と電気的に接続される。受電部３６は、回転部２５、例えば回転部２５のＸ線検出器２３付近に備えられる。Ｘ線ＣＴ装置１によるスキャンの終了後のＸ線検出器２３は、一定の停止位置（角度）に停止するので、送電部３５は、停止位置に停止したＸ線検出器２３付近の受電部３６に機械的に非接触で電気的に接続可能となる位置に配置される。すなわち、送電部３５は、停止位置に停止したＸ線検出器２３付近の受電部３６から所定範囲内に配置され、受電部３６からの距離が所定範囲内の場合に受電部３６と非接触で電気的に接続される。
【００４０】
ヒータ５３は、受電部３６と電気的に接続される。
【００４１】
Ｘ線ＣＴ装置１によるスキャンが終了し、Ｘ線検出器２３が一定の停止位置（角度）に停止された状態で、架台カバー３１の外部の差込プラグ３２をコンセント（プラグソケット）に差し込むと、システムが起動されているかに関わりなく受電部３６は通電される。よって、Ｘ線検出器２３が所定の停止位置で停止されている場合、差込プラグ３２がコンセントに差し込まれると、送電部３５は、受電部３６を介してヒータ５３に通電する。ヒータ５３が通電されることによって、Ｘ線検出器２３が昇温される。
【００４２】
Ｘ線ＣＴ装置１では、システムが起動されていない間に差込プラグ３２がコンセントに差し込まれると、コンセントから差込プラグ３２、コネクタ対３３、及び送電部３５を介して受電部３６が通電され、ヒータ５３によってＸ線検出器２３が昇温される。一方、Ｘ線ＣＴ装置１では、システムが起動されている間に差込プラグ３２がコンセントに差し込まれると、Ｘ線検出器２３が特定の位置に停止位置に停止している限り、受電部３６が通電される。
【００４３】
コントローラ５０を介したヒータ５３への通電とは別系統で、ヒータ５３に通電する手段として、差込プラグ３２、コネクタ対３３、及び入出力部３４を備えると、Ｘ線ＣＴ装置１は、Ｘ線検出器２３が特定の位置で停止している間に、送電部３５及び受電部３６を介してＸ線検出器２３を昇温することができる。また、Ｘ線ＣＴ装置１は、送電部３５及び受電部３６が非接触であるので、安全にスキャン（回転部２５の回転）を開始することができる。
【００４４】
なお、システムが起動されている間において、従来技術のように、コントローラ５０がヒータ５３に通電することで、Ｘ線検出器２３の温度を制御できることは言うまでもない。
【００４５】
（第２実施形態）
図４は、第２実施形態のＸ線ＣＴ装置を示すハードウェア構成図である。
【００４６】
図４は、第２実施形態のＸ線ＣＴ装置１Ａを示す。Ｘ線ＣＴ装置１Ａは、大きくは、スキャナ装置１１Ａ及び画像処理装置１２によって構成される。Ｘ線ＣＴ装置１Ａのスキャナ装置１１Ａは、架台装置２０Ａ、寝台装置４０、及びコントローラ５０を備える。なお、図４に示すＸ線ＣＴ装置１Ａにおいて、図１に示すＸ線ＣＴ装置１と同一部材には同一符号を付して説明を省略する。
【００４７】
スキャナ装置１１Ａの架台装置２０Ａは、Ｘ線源としてのＸ線管２１、絞り２２、Ｘ線検出器２３、ＤＡＳ２４、回転部２５、高電圧電源２６、絞り駆動装置２７、回転駆動装置２８、架台カバー３１、差込プラグ３２、コネクタ対３３、接触入出力部７４、及び出力端子駆動部７７を設ける。
【００４８】
接触入出力部７４は、出力端子７５及び入力端子７６を備える。出力端子７５は、入力端子７６との間で機械的に接触された場合にのみ電気的に接続されるように架台カバー３１に支持される。入力端子７６は、Ｘ線検出器２３に取り付けられ、スキャン時に回転部２５の回転に従ってＸ線検出器２３と一体となって回転する。
【００４９】
出力端子駆動部７７は、架台カバー３１の内側で架台カバー３１に支持される。コントローラ５０を介して通電される出力端子駆動部７７は、出力端子７５を動かして、出力端子７５と入力端子７６とを機械的に非接触とすることで電気的な接続を解除したり、出力端子７５と入力端子７６とを機械的に接触させることで電気的に接続させたりする。なお、本実施形態では、出力端子７５を動かすことで、出力端子７５と入力端子７６とを機械的に非接触とすることで電気的な接続を解除したり、出力端子７５と入力端子７６とを機械的に接触させることで電気的に接続させたりする場合を説明する。しかし、その場合に限定されるものではなく、入力端子７６を動かすことで、出力端子７５と入力端子７６とを機械的に非接触とすることで電気的な接続を解除したり、出力端子７５と入力端子７６とを機械的に接触させることで電気的に接続させたりしてもよい。
【００５０】
続いて、出力端子駆動部７７の構成の具体例を図５乃至図９を用いて説明する。
【００５１】
図５は、第２実施形態のＸ線ＣＴ装置１Ａにおける出力端子駆動部７７の第１の構成例を示す図である。図５（ａ）は、出力端子７５と入力端子７６とが機械的に非接触の場合の接触入出力部７４の状態を示し、図５（ｂ）は、出力端子７５と入力端子７６とが機械的に接触する場合の接触入出力部７４の状態を示す。
【００５２】
図５（ａ），（ｂ）は、Ｘ線検出器２３、回転部２５、架台カバー３１、差込プラグ３２、コネクタ対３３、ヒータ５３、接触入出力部７４（出力端子７５及び入力端子７６）、及び出力端子駆動部７７としての電磁石（ソレノイド）７７ａを示す。
【００５３】
ヒータ５３は、入力端子７６と電気的に接続される。
【００５４】
出力端子７５は、差込プラグ３２と電気的に接続される。入力端子７６は、回転部２５、例えば回転部２５のＸ線検出器２３付近に備えられる。
【００５５】
電磁石７７ａは、磁性材料の芯の周りにコイルが巻かれた磁石である。Ｘ線ＣＴ装置１Ａによるスキャンの終了後のＸ線検出器２３は、一定の停止位置（角度）に停止するので、電磁石７７ａは、電磁石７７ａへの通電・非通電に従って進退する出力端子７５と、停止位置に停止したＸ線検出器２３付近の入力端子７６とが機械的に接触可能となる位置に配置される。すなわち、コントローラ５０を介して通電された電磁石７７ａは、一時的に磁力を発生して出力端子７５を引き寄せることで、出力端子７５と入力端子７６とを機械的に非接触とする。その結果、出力端子７５と入力端子７６との電気的な接続が解除された状態となる（図５（ａ））。一方、通電されない電磁石７７ａは、磁力を失って出力端子７５を引き離すことで、出力端子７５と入力端子７６とを機械的に接触させる。その結果、出力端子７５と入力端子７６とが電気的に接続される状態となる（図５（ｂ））。
【００５６】
図６は、図５に示す出力端子駆動部７７の第１の構成例における動作を示すタイムチャートである。
【００５７】
図６に示すように、操作者によってＸ線ＣＴ装置１Ａのコントローラ５０の電源投入の指示があると、差込プラグ５１を介してコントローラ５０が通電され、システムが起動する。システムが起動すると、コントローラ５０は、電磁石７７ａへの通電を開始する。電磁石７７ａへの通電が開始されると、電磁石７７ａは、磁力を発生して出力端子７５を引き寄せることで、出力端子７５と入力端子７６とを機械的に非接触とする。その結果、出力端子７５と入力端子７６との電気的な接続が解除される（図５（ａ））。
【００５８】
操作者によってＸ線ＣＴ装置１Ａを用いたスキャンの実行指示があると、コントローラ５０は、回転駆動装置２８を介して回転部２５を回転させながら、高電圧電源２６を介してＸ線管２１からＸ線を照射させることで、スキャンを実行する。
【００５９】
操作者によってコントローラ５０の電源切断の指示があると、Ｘ線ＣＴ装置１Ａのコントローラ５０はシステムをダウンし、コントローラ５０への通電が終了する。システムがダウンすると、電磁石７７ａへの通電が終了される。電磁石７７ａへの通電が終了されると、電磁石７７ａは、磁力を失って出力端子７５を入力端子７６から引き離すことで、出力端子７５と入力端子７６とを機械的に接触させる。その結果、出力端子７５と入力端子７６とは、電気的に接続される（図５（ｂ））。
【００６０】
システムが起動されていない間（図５（ｂ））、差込プラグ３２がコンセントに差し込まれると、出力端子７５は、入力端子７６を介してヒータ５３に通電する。ヒータ５３への通電によって、Ｘ線検出器２３が昇温される。
【００６１】
図７は、第２実施形態のＸ線ＣＴ装置１Ａにおける出力端子駆動部７７の第２の構成例を示す図である。図７（ａ）は、出力端子７５と入力端子７６とが機械的に非接触の場合の接触入出力部７４の状態を示し、図７（ｂ）は、出力端子７５と入力端子７６とが機械的に接触する場合の接触入出力部７４の状態を示す。
【００６２】
図７（ａ），（ｂ）は、Ｘ線検出器２３、回転部２５、架台カバー３１、差込プラグ３２、コネクタ対３３、ヒータ５３、接触入出力部７４（出力端子７５及び入力端子７６）、及び出力端子駆動部７７としてのモータ／ギア７７ｂを示す。コントローラ５０を介して通電されたモータ／ギア７７ｂは駆動することで、出力端子７５と入力端子７６とを機械的に非接触とする。その結果、出力端子７５と入力端子７６との電気的な接続が解除される（図７（ａ））。一方、モータ／ギア７７ｂは、コントローラ５０の電源切断の指示があるとモータ／ギア７７ｂへの通電が終了される前に駆動して、出力端子７５と入力端子７６とを機械的に接触させる。その結果、出力端子７５と入力端子７６とは、電気的に接続される（図７（ｂ））。
【００６３】
Ｘ線ＣＴ装置１Ａによるスキャンの終了後のＸ線検出器２３は、一定の停止位置（角度）に停止する。図７（ａ），（ｂ）に示すモータ／ギア７７ｂは、モータ７７ｃの駆動によって進退する出力端子７５と、停止したＸ線検出器２３に取り付けられた入力端子７６とが機械的に接触可能となる位置に配置される。
【００６４】
図８は、図７に示す出力端子駆動部７７の第２の構成例における動作を示すタイムチャートである。
【００６５】
図８に示すように、操作者によってＸ線ＣＴ装置１Ａのコントローラ５０の電源投入の指示があると、差込プラグ５１を介してコントローラ５０が通電され、システムが起動する。システムが起動すると、コントローラ５０は、モータ／ギア７７ｂへの通電を開始する。モータ／ギア７７ｂへの通電が開始されると、モータ／ギア７７ｂは駆動することで、出力端子７５と入力端子７６とを機械的に非接触とする。その結果、出力端子７５と入力端子７６との電気的な接続が解除される（図７（ａ））。
【００６６】
操作者によってＸ線ＣＴ装置１Ａを用いたスキャンの実行指示があると、コントローラ５０は、回転駆動装置２８を介して回転部２５を回転させながら、高電圧電源２６を介してＸ線管２１からＸ線を照射させることで、スキャンを実行する。
【００６７】
操作者によってコントローラ５０の電源切断の指示があると、モータ／ギア７７ｂは駆動し、出力端子７５と入力端子７６とを機械的に接触させる。その結果、出力端子７５と入力端子７６とは、電気的に接続される（図７（ｂ））。次いで、Ｘ線ＣＴ装置１Ａのコントローラ５０はシステムをダウンし、コントローラ５０への通電が終了する。
【００６８】
システムが起動されていない間（図７（ｂ））、差込プラグ３２がコンセントに差し込まれると、出力端子７５は、入力端子７６を介してヒータ５３に通電する。ヒータ５３への通電によって、Ｘ線検出器２３が昇温される。
【００６９】
図９は、第２実施形態のＸ線ＣＴ装置１Ａにおける出力端子駆動部７７の第３の構成例を示す図である。図９（ａ）は、出力端子７５と入力端子７６とが機械的に非接触の場合の接触入出力部７４の状態を示し、図９（ｂ）は、出力端子７５と入力端子７６とが機械的に接触する場合の接触入出力部７４の状態を示す。
【００７０】
図９（ａ），（ｂ）は、Ｘ線検出器２３、回転部２５、架台カバー３１、差込プラグ３２、コネクタ対３３、ヒータ５３、接触入出力部７４（出力端子７５及び入力端子７６）、及び出力端子駆動部７７としてのモータ７７ｃを示す。コントローラ５０を介して通電されたモータ７７ｃは駆動することで、出力端子７５と入力端子７６とを機械的に非接触とする。その結果、出力端子７５と入力端子７６との電気的な接続が解除される（図９（ａ））。一方、モータ７７ｃは、コントローラ５０の電源切断の指示があるとモータ７７ｃへの通電が終了される前に駆動することで、出力端子７５と入力端子７６とを機械的に接触させる。その結果、出力端子７５と入力端子７６とは、電気的に接続される（図９（ｂ））。
【００７１】
Ｘ線ＣＴ装置１Ａによるスキャンの終了後のＸ線検出器２３は、一定の停止位置（角度）に停止する。図９（ａ），（ｂ）に示すモータ７７ｃは、モータ７７ｃを軸として回転する出力端子７５と、停止したＸ線検出器２３に取り付けられた入力端子７６とが機械的に接続可能となる位置に配置される。
【００７２】
なお、図９に示す接触入出力部７４及び出力端子駆動部７７の構成の第３例の動作は、図８に示すタイムチャートと同様であるので説明を省略する。
【００７３】
Ｘ線ＣＴ装置１Ａでは、システムが起動されていない間（図５（ｂ）、図７（ｂ）、及び図９（ｂ））に差込プラグ３２がコンセントに差し込まれると、出力端子７５と入力端子７６とが電気的に接続されているので、コンセントから差込プラグ３２、コネクタ対３３、及び出力端子７５を介して入力端子７６が通電され、ヒータ５３によってＸ線検出器２３が昇温される。一方、Ｘ線ＣＴ装置１Ａでは、システムが起動されている間（図５（ａ）、図７（ａ）、及び図９（ａ））に差込プラグ３２がコンセントに差し込まれていても出力端子７５と入力端子７６との電気的な接続が解除されているので、入力端子７６が通電されない。また、Ｘ線ＣＴ装置１Ａでは、システムが起動されている間は出力端子７５と入力端子７６とが機械的に非接触なので、出力端子７５がスキャンにおける回転部２５の回転に影響を与えることはない。
【００７４】
コントローラ５０を介したヒータ５３への通電とは別系統で、ヒータ５３への通電を行なう手段として、差込プラグ３２、コネクタ対３３、接触入出力部７４、及び出力端子駆動部７７を備えると、Ｘ線ＣＴ装置１Ａは、システムが起動されていない間に、電気的に接続された出力端子７５と入力端子７６とを介してＸ線検出器２３を昇温することできる。また、Ｘ線ＣＴ装置１Ａは、コントローラ５０を介した出力端子駆動部７７への通電が開始された時点で出力端子７５と入力端子７６とが機械的に非接触なので、安全にスキャン（回転部２５の回転）を開始することができる。
【００７５】
なお、システムが起動されている間において、従来技術のように、コントローラ５０がヒータ５３に通電することで、Ｘ線検出器２３の温度を制御できることは言うまでもない。
【００７６】
本実施形態のＸ線ＣＴ装置１，１Ａによると、ヒータ５３に通電する目的のためにＸ線ＣＴ装置１，１Ａのコントローラ５０の電源を投入する必要がないので、不必要な電力の消費をなくすことができる。また、本実施形態のＸ線ＣＴ装置１，１Ａによると、スキャン前には操作者がヒータ５３に接続される電源ケーブルを切断する必要がなく、さらに、スキャン時に電源ケーブルが回転部２５に巻き込まれる危険性を回避できる。
【符号の説明】
【００７７】
１，１Ａ  Ｘ線ＣＴ装置
１１，１１Ａ  スキャナ装置
１２  画像処理装置
２０，２０Ａ  架台装置
２１  Ｘ線管
２３  Ｘ線検出器
３１  架台カバー
３２  差込プラグ
３３  コネクタ対
３４  入出力部
３５  送電部
３６  受電部
４０  寝台装置
４１  天板
５０  コントローラ
５３  ヒータ
７４  接触入出力部
７５  出力端子
７６  入力端子
７７  出力端子駆動部
７７ａ  電磁石
７７ｂ  モータ／ギア
７７ｃ  モータ
【図１】
2012081135.tif 000003
【図２】
2012081135.tif 000004
【図３】
2012081135.tif 000005
【図４】
2012081135.tif 000006
【図５】
2012081135.tif 000007
【図６】
2012081135.tif 000008
【図７】
2012081135.tif 000009
【図８】
2012081135.tif 000010
【図９】
2012081135.tif 000011